Podtech/llm-jp-corpus-v4-ja_patent huggingface dataset:
(57)【要約】      （修正有）【課題】ガス、薬液、接着剤、ペースト等の流体の分析、液送、塗布に於いて微量の吐出、吸入に使用するノズルは口径が小さいので液の硬化、ゴミ詰まり等で交換の頻度が多い。本考案は、簡単に交換でき、安価に提供する。【解決手段】樹脂チューブの一端を長さを短く２段に絞り極細径に形成する。【選択図】図１
0003124983.tif 000002
【実用新案登録請求の範囲】
【請求項１】
樹脂チューブの一端を緩く絞り、さらに最先端で急激に細く絞り込み細径部を形成し、他端はラッパ状に形成したノズル。
【考案の詳細な説明】
【技術分野】
【０００１】ガス、薬液、接着剤、ペースト等の流体の分析、液送、塗布に於いて微量の吐出、吸入に使用するノズルに関する。
【背景技術】
【０００２】ガス、薬液、接着剤、ペースト等の流体の微量吐出に於いて、吐出ノズルの吐出口は０．１ｍｍ等の非常に小径であることを要求される。
【考案が解決しようとする課題】
【０００３】従来この様なノズルに極細ステンレス管ノズルが使用されているが、加工上その長さがある程度必要であるから、流れ抵抗が大となる、ゴミが詰まると除去するのが困難、内部がみえないので気泡等の目視確認が出来ない、等の欠点があった。
【０００４】樹脂チューブを細長く引き伸ばして使用することもあるが、引き伸ばした小径部が長く、曲がり、折れが発生し、位置が決まらず、使用に難点がある。
【０００５】ゴミ詰まり、液の硬化等で交換の頻度が多いから、簡単に交換ができ、安価であることが要求される。
【課題を解決するための手段】
【０００６】本考案では樹脂チューブの一端を緩く絞り、さらに最先端で急激に細く絞り込む。すなわち短い長さで２段に細く絞り小径部の曲がり、折れを防止している。
【０００７】他端はラッパ状に広げ、ステンレス管への挿入を容易にする、あるいは管継手との連結を計る。
【実施例１】
【０００８】ノズル１はＰＦＡ樹脂チューブを素材とし、素材のままの胴部５の右端で初段絞り部２、続いて先端絞り部３を形成する。初段絞り部２は緩く細径に絞り、先端絞り部３は初段絞り部２の終端から急激に細径に絞り込んで長さを短く形成している。【０００９】左端はラッパ状に広げてラッパ部４を形成する。
【作用】
【００１０】胴部５の内径より若干太めのステンレス管ノズルに、ノズル１をラッパ部４より挿入する。胴部５は弾力によりステンレス管ノズルにしっかりと装着される。この挿入時にラッパ部４は指先の滑りを防止する。
【００１１】ステンレス管ノズルから液がノズル１内に流れ込み、先端絞り部３から吐出する。胴部５はステンレス管にしっかりと装着されているので吐出抵抗に耐えうる。
【考案の効果】
【００１２】胴部５から先端絞り部３まで長さが短いから先端絞り部３のふらつき、折れ、曲がりが殆どなく位置狂いが小さい。
【００１３】内部は段差無く形成されているから吐出抵抗が小さくなる。
【００１４】先端絞り部３は肉厚が薄いのでゴミ等が詰まっても弾力で内径を押し広げてゴミ等を排出することが出来る。
【００１５】ＰＦＡ樹脂チューブは透明なので内部の気泡、ゴミ等を目視確認できる。
【００１６】初段絞り部２又は先端絞り部３の任意の位置をカッターナイフで切断し、所要の径のノズルを得ることが出来る。
【００１７】ラッパ部４は連結するステンレス管ノズル、管継ぎ手等に合わせてフレア加工、フランジ加工等を施せる。
【００１８】胴部５の内径より若干太めのステンレス管ノズルに容易に装着でき、極細径のノズルが得られ、取替え時の離脱が簡単である。
【図面の簡単な説明】
【０００１９】
【図１】実施例１の断面図
【符号の説明】
【０００２０】１：ノズル    ２：初段絞り部    ３：先端絞り部    ４：ラッパ部    ５：胴部
【図１】
0003124983.tif 000003
(57)【要約】【課題】本考案は、特定の運動選手を対象とした減圧訓練施設ではなく、一般ユーザーが自宅にいながら日常的に低圧室を使用できるよう低圧室付住宅を実現することが課題である。【解決手段】本考案は、建物の一部に低圧室を設ける戸建て住宅又は集合住宅、或いは、建物を構成する主要構造部材で低圧に耐え得る筐体をつくり、前記筐体で低圧室となす住宅・低圧室一体型の戸建て住宅又は集合住宅であることを特徴とする。【選択図】図１
0003124988.tif 000002
【実用新案登録請求の範囲】
【請求項１】
建物の一部に低圧室を設けることを特徴とする戸建て住宅又は集合住宅。
【請求項２】
建物を構成する主要構造部材で低圧に耐え得る筐体をつくり、前記筐体で低圧室となすことを特徴とする住宅・低圧室一体型の戸建て住宅又は集合住宅。
【考案の詳細な説明】
【技術分野】
【０００１】近年、健康に対する意識が高まってきている。高地の気圧環境を平地で実現するための低圧室にも高い関心が集まっている。本考案は、その低圧室に関するものである。
【背景技術】
【０００２】
【特許文献１】  特公平２−４２９９２号公報
【特許文献２】  特開平８−１１２３７３号公報
【特許文献３】  特開平１１−３３６３７３号公報
【特許文献４】  特許２９１９１１１号公報
【特許文献５】  特開２０００−５４６６６号公報
【非特許文献１】  実開平２−１１８５７１号公報
【考案の開示】
【考案が解決しようとする課題】
【０００３】本考案は、特定の運動選手を対象とした減圧訓練施設ではなく、一般ユーザーが自宅にいながら日常的に低圧室を使用できるようにした低圧室付住宅に関するものである。
【課題を解決するための手段】
【０００４】本考案は、請求項１の考案においては、建物の一部に低圧室を設ける戸建て住宅又は集合住宅であることを特徴とする。【０００５】請求項２の考案においては、建物を構成する主要構造部材で低圧に耐え得る筐体をつくり、前記筐体で低圧室となす住宅・低圧室一体型の戸建て住宅又は集合住宅であることを特徴とする。
【考案の効果】
【０００６】本考案により、住宅の一部に低圧室が付帯しているため、特定の運動選手のみならず一般ユーザーも日常生活の一部として低圧室を使用できるようになった。
【考案を実施するための最良の形態】
【０００７】考案を実施するための最良の形態について説明する。図１に考案明を適用した低圧室付戸建て住宅の実施例を示す。
【実施例】
【０００８】本考案の低圧室付住宅の実施例では、住宅（１）の一角に低圧室設置スペース（３）を設け、該低圧室設置スペース（３）に予め低圧室（１３）を設置して住宅に供する建物を完成させた。
【産業上の利用可能性】
【０００９】産業上の利用可能性としては、戸建て住宅或いは集合住宅の何れを問わず、住宅に供する建物に低圧室が設置してあるため住宅の外部に低圧室を設置する必要がなく、日常生活の一部として気軽に低圧室を利用することができる。
【図面の簡単な説明】
【００１０】
【図１】は本考案を適用した低圧室付住宅の平面図である。
【符号の説明】
【００１１】１  住宅
２  和室
３  低圧室設置スペース
４  トイレ
５  洗面所
６  脱衣室
７  浴室
８  リビングダイニングキッチン
９  玄関・廊下
１０  和室
１１  和室
１２  和室
【図１】
0003124988.tif 000003
(57)【要約】【課題】本考案は袋に穀物類等を封入すると、袋の内部に溜まるガス等を逃がす必要が生じる。それを簡単な方法で自然に出来、且つ最大効果を提供する事にある。【解決手段】パイプ状ポリシート（１）の適当なる位置に、通気スリット（２）を設け、このパイプ状ポリシート（１）を袋体に形成する。【選択図】図１
0003124982.tif 000002
【実用新案登録請求の範囲】
【請求項１】
パイプ状ポリシート（１）の適当なる位置に、通気スリット（２）を設け、このパイプ状ポリシート（１）を袋体に形成してなる、通気スリットを設けた袋体。
【考案の詳細な説明】
【技術分野】
【０００１】  本考案は、穀物類等を入れた密封袋の中のガス抜き、つまり袋内部の通気技術に関するものである。
【背景技術】
【０００２】  従来、穀物類等の袋は密封されたまま、積載貯蔵されている。最近は、袋に小さいガス抜き穴を設けた袋が出て来た。
【考案の開示】
【考案が解決しようとする課題】
【０００３】  これは次のような問題点があった。
穀物類等を袋に封入する時には空気と共に密封され、さらに時間と共に穀物類から発生するガス等により袋の内圧が高くなり、袋の積載状態が悪くなるし、貯蔵に於いては積載重力により極端な場合、袋が破れてしまう事もあった。また封入品の品質を保つためにも、内部のガスを抜く必要もあった。最近では、このような袋内部のガスを抜くために、ガス抜き用の小穴が設けた袋が出て来ているが、あくまで袋には小さい穴を設けている状態であるから、袋に水分や微細のゴミ、虫などが侵入し品質を保つ事は難しかった。
本考案は、このような問題点を改善する為に、なされたものである。
【課題を解決するための手段】
【０００４】  これらの課題を解決する方法としては、袋の材料としてパイプ状ポリシート（１）を用意して、これにスリット刃を用いて、適正なるスリット幅および大きさにて適当なる位置に、通気スリット（２）として切込みを入れる。そしてこの前記ポリシートを熱着方法等で綴じて、袋体に、つまり袋に形成する。
本考案は、以上のような構成よりなる、通気スリットを設けた袋体である。
【考案の効果】
【０００５】  切込みのスリットは、内部圧力が高くなると、スリット端面が捲り上げられて、ガスがここから外に抜けて行き、内圧が無くなるとスリット端面が閉じる。
このために、普段はスリットが閉じているので、水分やチリ、虫等の侵入を防ぎ、袋に封入されている穀物類等（米や大豆、小豆、コーヒー豆等）その他の多くの封入物類の品質を保持する事が出来る。また、従来の穴加工方法はレーザー穿孔が多く、時間がかかり、その加工費は高いが、本考案の通気スリットは歯車状のスリット刃で切込みを入れるだけであるから、大量に短時間で出来るので加工費は非常に安く出来る。
【考案を実施するための最良の形態】
【０００６】  本考案の、パイプ状ポリシート（１）はロール巻きにしてあるので、これをスリット刃を取り付けた専用機に、引っ張り出してテーブルの上に連続に流していき、適当なる位置（例えば、前記シートの縦両端位置等）に歯車状のスリット刃で切込みを、順次入れて、通気スリット（２）を設けていく。図１のごとく、このスリットは直線タイプであると、長さは０．１ｍｍ〜０．２ｍｍ幅が良く、くの字タイプでは、くの幅が０．２ｍｍぐらいがベストである。次に連続加工にて、熱圧着方法で通気スリットを設けたパイプ状ポリシート（１）を袋体に形成する。
【図面の簡単な説明】
【０００７】
【図１】      本考案の斜視図である。
【図２】      本考案の断面説明図である。
【符号の説明】
【０００８】        １  パイプ状ポリシート
２  通気スリット
３  穀物類
４  封入内部ガス
５  袋体
【図１】
0003124982.tif 000003
【図２】
0003124982.tif 000004
(57)【要約】【課題】少エネ、騒音、断熱、壁の結露防止を安価で簡単な工事で解決する。【解決手段】壁紙の表紙と裏紙の間に中空セラミックビーズを挟み込むことにより、壁紙を貼り変えることで簡単に断熱、防音、結露防止をすることができる。【選択図】図２
0003124993.tif 000002
【実用新案登録請求の範囲】
【請求項１】
表紙と裏紙の間に断熱、防音用中空セラミックビーズをサンドイッチ状に挟み成型した壁紙。
【考案の詳細な説明】
【技術分野】
【０００１】本考案は、一般の壁紙が使用される壁に用いる壁紙に関する。
【背景技術】
【０００２】従来の壁紙は、壁の装飾のみを目的としたものである。【０００３】従来の断熱、防音は、壁と壁紙の間に十分な空間を設け、グラスウール等の断熱材を、挿入しなければならず、多大な費用が必要であり、多くのスペースも必要であった。また、完成後の工事となると、現状の広さの部屋の確保が難しい。
【考案の開示】
【考案が解決しようとする課題】
【０００４】壁紙の表紙と裏紙を用いて、間に２０〜４０ミクロンの中空セラミックビーズを、０，５〜１ｍｍ厚に挟込むことにより、既存の壁紙を張り代えることにより、１ｍｍ厚の製品で、発泡スチロール１００ｍｍ厚相当の遮熱効果を得ることができる。【０００５】隣合う部屋の壁の双方に張れば、簡単に２倍の効果を得られる。【０００６】各部屋ごとの断熱効果を上げることにより、暖房、冷房の少エネ効果を上げることができる。【０００７】断熱効果により、壁面の結露を防止することができる。【０００８】防音効果によりとなりへの騒音を下げることができる。
【考案を実施するための最良の形態】
【０００９】以下、本考案の形態を図面に基づき詳細に説明する。【００１０】図１は、正面から見て、段状に切り欠き、部材の積層形態を現した図であり、図２は、断面を拡大した図である。【００１１】図１に示すように、表紙の下には、中空セラミックビーズの層があり、この部分で断熱、防音をする。【００１２】その下の裏紙に糊を着けて、壁に張り付ける。
【図面の簡単な説明】
【００１３】
【図１】正面を段状に切り欠いた図
【図２】断面拡大側面図
【符号の説明】
【００１４】１，表紙
２，中空セラミックビーズ層
３，裏紙
【図１】
0003124993.tif 000003
【図２】
0003124993.tif 000004
(57)【要約】【課題】  茶碗のもつ多種多様な模様及び質感を生かし風情のあるインテリア用照明器具を提供することにある。【解決手段】  茶碗の模様及び質感を生かし、配線、ソケット、電球を取り付けインテリアに合わせた照明器具にする。【選択図】図１
0003124996.tif 000002
【実用新案登録請求の範囲】
【請求項１】
茶碗の底にソケット、配線、電球を取り付けた照明器具。
【考案の詳細な説明】
【技術分野】
【０００１】  この考案は、茶碗に照明を取り付けたインテリア用照明器具に関するものである。
【背景技術】
【０００２】  これまで多種多様のインテリア用照明器具が提案されているが、茶碗を利用した照明器具は提案されていない。
【考案の開示】
【考案が解決しようとする課題】
【０００３】  茶碗のもつ多種多様な模様及び質感を生かし風情のあるインテリア用照明器具を提供することにある。
【課題を解決するための手段】
【０００４】  茶碗の模様及び質感を生かし、配線、ソケット、電球を取り付けインテリアに合わせた照明器具にする。
【考案の効果】
【０００５】  茶碗のもつ多種多様な模様及び質感は、今までに無かった風情のあるインテリア照明器具に仕上がった。
【実施例】
【０００６】  茶碗の底に穴を開け、配線及びソケットを接着剤で茶碗に固定し電球を取り付ける。
【図面の簡単な説明】
【０００７】
【図１】  本考案の完成図である。
【符号の説明】
【０００８】  １  茶碗
２  ソケット
３  配線
４  電球
【図１】
0003124996.tif 000003
(57)【要約】      （修正有）【課題】快適な寝姿勢の保持、寝返りに対応した使用感に優れている枕を簡素な構造で製作コストを低減させることができる枕を提供すること。【解決手段】二枚の楕円形布生地を袋状に縫い合わせた後、曲線の縫い目を五施し、それにより形成される六ヶ所の独立した部分に人間の体型に合わせた使用感の優れた異なった素材を適量充填することによる。【選択図】図１
0003124994.tif 000002
【実用新案登録請求の範囲】
【請求項１】
二枚の布生地を縫い合わせた横長楕円形状の枕の袋に曲線の縫い目を５本施し、そのことにより仕切られた部分に内容物を充填することにより形成される枕。
【請求項２】
六ヶ所に仕切られた部分に対し充填する内容物の量、材質をかえることにより高さ、硬さの変化をもたせることができる事を特徴とする請求項１に記載の枕。
【考案の詳細な説明】
【技術分野】
【０００１】本考案は就寝時容易に寝返りがうてるよう考案した枕である。
【背景技術】
【０００２】就寝時用の枕は様々な形態のものが使されているが、首部にあたる部分が高くなっている中央部分が極端に低くなっている構造の枕が開示されている。
【考案の開示】
【考案が解決しようとする課題】
【０００３】この考案の目的は、仰向き、横向き、それに関わる移動動作に対応するべく構造の枕を簡素な作業工程で作成できる事である。
【課題を解決するための手段】
【０００４】請求項１に記載の考案は二枚の生地を縫い合わせたことにより縫い目（２）により独立した六ヶ所の部分が形成されており、人間の体型にあわせた高さ使用感に対応可能な内容物の選択、分量の調整が可能な枕である。
【図面の簡単な説明】
【０００５】
【図１】二枚の布生地を袋状に縫製した後、五箇所の縫い目を施した図。
【０００６】
【図２】内容物を充填した後、充填口を縫合した図。
【符号の説明】
【０００７】（１）枕
（２）縫い目
【図１】
0003124994.tif 000003
【図２】
0003124994.tif 000004
(57)【要約】【課題】  本考案は読書や仕事、家事等生活全般にわたって眼鏡の不要と必要の繰り返しが行われ、紛失したり放置されたりで眼鏡の取り扱いが面倒である事からその不便さを解決することを課題とした。【解決手段】眼鏡ケースそのものを腕に装着し、眼鏡が常時そばにある状態にする。【選択図】図１
0003124997.tif 000002
【実用新案登録請求の範囲】
【請求項１】
ゴムベルトと接続部材を取付けて上腕に装着する半楕円形の縦型眼鏡ケース。
【考案の詳細な説明】
【技術分野】
【０００１】  本考案の技術分野は眼鏡の紛失を防ぎ、必要な時すばやく取出せて手近に保護収納が出来るようにした眼鏡ケースに属する。
【背景技術】
【０００２】  本考案の属する技術分野には携帯用としてクリップで衣服に止める眼鏡ケースやケースをベルトや着物の帯に挟む技術、そして紐やチェーンで首から下げる技術がある。また、縦型収納ではケースの中心を軸に開閉し更に卓上に立てられる技術がある。
【考案の開示】
【考案が解決しようとする課題】
【０００３】  私たちの周りには眼鏡を掛けたり外したりを頻繁に繰り返す人が多い。読書や仕事、家事など生活全般にわたって不要と必要の時が繰り返され探しまわったり、必需品とはいえ放置しがちでその取り扱いには面倒が伴う。このような種々の不便さを解決しようとするのが本考案の課題である。
【課題を解決するための手段】
【０００４】  本考案は眼鏡ケースそのものを上腕に装着し、眼鏡を常時身につけている状態にする事で上記の課題を解決するものである。
【考案を実施するための最良の形態】
【０００５】  図１ー１に示すように外部衝撃に対する保護材としてケース外側部は合成樹脂やプラスチック材などで形成する１３ｃｍの半楕円形とする。内側部２は柔らかい材質にして折り返し蓋部分も含め２４ｃｍの楕円とする。内部は全てレンズ保護用クッション質材を使う。内側部折り返しの蓋部３とケース外側部の開口部中心に面接着テープ４をつけて開閉部とする。【０００６】  ケースの左端は、下から７ｃｍの所に薄手のゴムベルトをかける部材５を取付け、対する右端には被接続部材６を取りつける。ゴムベルト７を左端部材にかけてゴムベルトの端部を縫い止める。装着部分のゴムベルトに長さ調節の送りカン８と接続部材９を取付ける。【０００７】  ゴムベルトを接続部材で接続させ、腕輪のように上腕に引き上げ締めすぎず緩めすぎずの心地よい状態になるよう送りカンで調節して使用する。
【考案の効果】
【０００８】眼鏡ケースを腕に装着していることにより、眼鏡が必要な時にサッと取出せて収納も手早く出来る効果、更に眼鏡を保護する効果と紛失を防ぐ効果が生まれた。
【図面の簡単な説明】
【０００９】
【図１】腕装着眼鏡ケースの仕様を示した側面図である。
【図２】腕装着眼鏡ケースの裏面図である
【図３】腕装着眼鏡ケースの正面図である。
【符号の説明】
【０００１０】    １，ケース外側部
２，ケース内側部
３，折り返し蓋部
４，面接着テープ
５，ゴムベルト掛部材
６，被接続部材
７，ゴムベルト
８，ベルト調節送りカン
９，接続部材
【図１】
0003124997.tif 000003
【図２】
0003124997.tif 000004
【図３】
0003124997.tif 000005
(57)【要約】【課題】  木製の工芸品に関するもので、木の質感と模様のおもしろさを備えて、装飾美観に優れた工芸品を提供する。【解決手段】  本考案の工芸品本体は、自然木からなる板を複数枚重ねて貼り合わせた層を有した積層合板製であって、該積層合板を加圧プレスして所定の形に成型した後、さらに表面を部分的に研磨して、適層に備わる自然木からなる板が模様状に現れ出るよう研ぎ出して成した構造を特徴とした。【選択図】図１
0003124968.tif 000002
【実用新案登録請求の範囲】
【請求項１】
工芸品本体は、自然木からなる板を複数枚重ねて貼り合わせた層を有した積層合板製であって、該積層合板を加圧プレスして所定の形に成型した後、さらに表面を部分的に研磨して、適層に備わる自然木からなる板が模様状に現れ出るよう研ぎ出して成した構造を特徴とする。
【考案の詳細な説明】
【技術分野】
【０００１】  本考案は、工芸品に関する分野に属し、詳しくは、木の質感と模様のおもしろさを備えて、装飾美観に優れた木製の工芸品に関するものである。
【背景技術】
【０００２】  従来から、木製の工芸品に於いては、それらの表面に模様や図柄を付したり、漆を塗布するなどした品が数多く提供されている。漆塗りを施した木製の工芸品の漆塗層に、サンドブラスト加工により立体的に写真画像、模様等を刻設した工芸品の提案（例えば、特許文献１参照。）もされている。しかしながら、木の質感や模様のおもしろさを備えて、装飾美観に優れると評される工芸品は少なかった。
【特許文献１】登録実用新案第３１０８４８２号広報
【考案の開示】
【考案が解決しようとする課題】
【０００３】  本考案は、上記従来有する問題点に鑑み、木の質感と模様のおもしろさを備えて、装飾美観に優れた工芸品を提供することを目的とする。
【課題を解決するための手段】
【０００４】  本考案の工芸品本体は、自然木からなる板を複数枚重ねて貼り合わせた層を有した積層合板製であって、該積層合板を加圧プレスして所定の形に成型した後、さらに表面を部分的に研磨して、適層に備わる自然木からなる板が模様状に現れ出るよう研ぎ出して成した構造を特徴とした。
【考案の効果】
【０００５】  本考案の工芸品によれば、工芸品本体を自然木からなる板を複数枚重ねて貼り合わせた層を有した積層合板製にしたことで、割れにくく耐久性に優れ、さらには、該積層合板を加圧プレスして所定の形に成型した後、表面を部分的に研磨して、適層に備わる自然木からなる板が模様状に現れ出るよう研ぎ出したことで、トレーや盛器、装身具（アクセサリー）や家具などにも、今までにない木の質感と多彩な模様のおもしろさを備えた装飾美観に優れた工芸品を提供することができる。このことから、当該産業界の活性化にも貢献するものである。また、本考案の工芸品は木を無駄にしないよう効率よく大切に用いていることから、地球環境に配慮したエコロジー製品ともいえる。
【考案を実施するための最良の形態】
【０００６】  以下、本考案の一実施の形態について、図面を参照して説明する。
図１〜２は工芸品の一実施の形態であるトレー１であり、自然木からなる板２を複数枚重ねて貼り合わせた層を有した積層合板３製であって、該積層合板３を加圧プレスして所定の形に成型した後、さらに表面を部分的に研磨して、適層に備わる自然木からなる板２が模様状に現れ出るよう研ぎ出して成した構造を特徴とした。
【図面の簡単な説明】
【０００７】
【図１】  本考案にかかる工芸品のうちトレーの一実施例を示す平面図である。
【図２】  図１のＡ−Ｂ矢視断面図である。
【図３】  本考案にかかる工芸品の他の実施例を示す側面図である。
【符号の説明】
【０００８】  １  トレー
２  自然木からなる板
３  積層合板
４  模様
５  菓子鉢
【図１】
0003124968.tif 000003
【図２】
0003124968.tif 000004
【図３】
0003124968.tif 000005
【手続補正書】
【提出日】平成18年6月6日(2006.6.6)
【手続補正１】
【補正対象書類名】実用新案登録請求の範囲
【補正対象項目名】全文
【補正方法】変更
【補正の内容】
【実用新案登録請求の範囲】
【請求項１】
工芸品本体は、自然木からなる板を複数枚重ねて貼り合わせた層を有した積層合板製であって、該積層合板を加圧プレスして所定の形に成型した後、さらに表面を部分的に研磨して、適層に備わる自然木からなる板が模様状に現れ出るよう研ぎ出して成した構造を特徴とする工芸品。
(57)【要約】【課題】上部の高さ調整ができ、不要時には前方に折り曲げることができる実用性に優れる自転車用風防を提供する。【解決手段】自転車Ｂの前位置に設置されるチャイルドシート１２の前面側に取り付けられる自転車用風防において、その上部２０高さが調節可能とされるとともに、自転車運転者の面前に位置する上側部分２，８，２０が前方に折り曲げ可能とされてなることを特徴とする自転車用風防。【選択図】図４
0003124965.tif 000002
【実用新案登録請求の範囲】
【請求項１】
自転車の前位置に設置されるチャイルドシートの前面側に取り付けられる自転車用風防において、その上部高さが調節可能とされるとともに、自転車運転者の面前に位置する上側部分が前方に折り曲げ可能とされてなることを特徴とする自転車用風防。
【考案の詳細な説明】
【技術分野】
【０００１】  この考案は、自転車の前部に設置されるチャイルドシートの前面側に取り付けられる自転車用風防の改良に関する。
【背景技術】
【０００２】  自転車において、小さな子供を乗せることができるチャイルドシートが汎用されている。そして、そのチャイルドシートをも前面から一体に覆うような自転車用風防が提供されている。
【考案の開示】
【考案が解決しようとする課題】
【０００３】  しかしながら、現在提供されている風防は、下記の２点の問題がある。まず、天気が良い日等において風防を必要としない場合に目の前にあって邪魔となる。また、チャイルドシートに乗せる子供は日々成長し子供の頭が風防の上部につかえるようになる。風防高さを初めから高くなるように固定すると、十分に小さな子供の場合には風防と子供との間に大きな隙間が生じることで子供に風雨が当たることとなる。【０００４】  この考案は上記の問題点を解消する実用性に優れる自転車用風防を提供することを目的とする。【０００５】  この考案では、自転車の前位置に設置されるチャイルドシートの前面側に取り付けられる自転車用風防において、その上部高さが調節可能とされるとともに、自転車運転者の面前に位置する上側部分が前方に折り曲げ可能とされてなることを特徴とする自転車用風防を提供する。【０００６】  上記構成の自転車用風防によれば、屋根等が形成される上部の高さがチャイルドシートに座る子供の大きさに対応して調整できる。さらに、風防を必要としない場合は、上側部分を前側に折り曲げる状態での使用が行える。
【考案の効果】
【０００７】
【０００８】  この考案によれば、子供の大きさに対応して屋根等となる上部高さの調整が行えるとともに、必要の無い場合には風防がない状態として使用できる実用性に優れる自転車用風防が得られる。
【考案を実施するための最良の形態】
【０００９】  図１はこの考案の自転車用風防の正面図、図２は同側面図、図３は使用状態を示す斜視図、図４は使用状態を示す拡大斜視図、である。【００１０】  自転車用風防１は、正面形状がＵ型の主フレーム２と、その主フレーム２の両下端それぞれに回動可能に軸支連結される一対の下部フレーム４それぞれと、両端が主フレーム２の両側途中位置に連接される屋根用フレーム６と、主フレーム２にわたって取り付けられ下部が下方に延びる前面透明カバー８と、主フレーム２と屋根用フレーム６とにわたって取り付けられる屋根透明カバー１０とからなる。【００１１】  この自転車用風防１は、上記下部フレーム４下端それぞれが自転車Ｂに設置されたチャイルドシート１２の側面に取り付けられる取り付け具１４の取り付け穴に上方から差し入れられ、側面から螺入されるネジ１６で固定されて取り付けられる。その際、その下部フレーム４下端の取り付け具１４への差し入れ深さが調整されることで自転車用風防１の取り付け高さが調整される。すなわち、チャイルドシート１２にすわる子供が十分に小さい場合は下部フレーム４の差し入れが深くされることで屋根部分（上部）２０が子供の頭からあまり離れない低い位置となるように取り付けられ、大きな子供の場合はその屋根部分２０が頭に当たることがないように高くなるように取り付けられる。このようにして、子供の成長に合わせてその屋根部分２０の高さが調整でき、また、兄弟等異なる大きさの子供のチャイルドシート１２の使用が支障なく行えるようにしている。【００１２】  前面透明カバー８は下部で両側に広がり、その両側下部近傍につながれた係止用バンド２２の端部がチャイルドシート１２の後部側面に係止され、これにより前面透明カバー８の下部がチャイルドシート１２下部の全体を覆うように配置される。【００１３】  また、この自転車用風防１は、上記したように主フレーム２と下部フレーム４とが上記したように互いに連結部２１それぞれで回動可能に軸支連結されているので、図５に示すように、固定状態の下部フレーム４に対し主フレーム２を前面透明カバー８さらには屋根部分２０を一体（上側部分）として前側に折り曲げて倒すことができる。これにより、天気の良い日等風防を必要としない場合には運転者の前面を開放状態とできることで、視界の開けた安全で心地よい運転が可能となる。
【図面の簡単な説明】
【００１４】
【図１】  この考案の自転車用風防の実施形態の正面図
【図２】  この考案の自転車用風防の実施形態の側面図
【図３】  この考案の自転車用風防の使用状態を示す斜視図
【図４】  この考案の自転車用風防の使用状態を示す拡大斜視図
【図５】  この考案の自転車用風防の使用状態を示す拡大斜視図
【符号の説明】
【００１５】  １    自転車用風防
２    主フレーム（上側部分）
８    前面透明カバー（上部が上側部分を構成）
１２  チャイルドシート
２０  屋根部分（上部及び上側部分）
Ｂ    自転車
【図１】
0003124965.tif 000003
【図２】
0003124965.tif 000004
【図３】
0003124965.tif 000005
【図４】
0003124965.tif 000006
【図５】
0003124965.tif 000007
【手続補正書】
【提出日】平成18年6月2日(2006.6.2)
【手続補正１】
【補正対象書類名】実用新案登録請求の範囲
【補正対象項目名】全文
【補正方法】変更
【補正の内容】
【実用新案登録請求の範囲】
【請求項１】
運転者の前面に位置する風防部分が、自転車のチャイルドシート側への固定部材に連接されて構成される自転車用風防であり、
前記固定部材に、前記チャイルドシートに高さ調節可能に差し入れられて固定される取り付け固定部を備えるとともに、
前記風防部分と前記固定部材との連接部に、前期風防部分を前倒し可能とする前倒し機構を備えてなることを特徴とする自転車用風防。
(57)【要約】【課題】本考案は、パンタロン、スラックス等のズボンをはいてサンダルを履いて歩く時、そのズボンの裾を、サンダルと足の間に挟まってふんでしまう事を防止出来るようにする．【解決手段】本考案は、止め金ピン本体の片側部分にゴムの重りを取り付け、その重りを取り付けた止金ピンをパンタロン、スラックス等のズボンの裾上げ部分の縫い目所に取り付ける、その為ズボンの裾が重くなり、サンダルと足の間にはさむ事が防止されふむことがなくなる．【選択図】図１
0003124963.tif 000002
【実用新案登録請求の範囲】
【請求項１】
止め金ピン本体の片側先端部分に重りを取り付け取りはずし自在を特徴とする、ズボン裾踏ずピン
【考案の詳細な説明】
【技術分野】
【０００１】  本考案は、止め金ピンの先端に重りを取り付けた、ピンに関するものである．
【背景技術】
【０００２】  パンタロン、スラックス等のズボンを履いて、サンダルで歩く時、ズボンの裾を、サンダルと足の間にふんでしまう．
【考案の開示】
【考案が解決しようとす課題】
【０００３】  パンタロンやスラックス等のズボンをはいた時、サンダルを履いて歩くと、ズボンの裾をかかとでふんで歩く姿がかっこ悪くなる、従ってこのピンを取り付ける事により、ズボンの裾を踏まずに歩けることになり、解決しょうとするものである．
【課題を解決するための手段】
【０００４】  本考案は、止め金ピンの片側に適量の重りを取り付けたものを、ズボンのかかと側の裾上げの縫い目の間に差し込んで重りとし、裾が上がらないようになり、問題点を解決している．
【考案の効果】
【０００５】  前述の様に本考案のズボン裾踏まずピンは、サンダルを履いてパンタロンやスラックス姿で歩いても大変きれいな歩き姿となる．しかも取りはずし簡単なので必要な時のみ使用出来る
〔考案の実施するための最良の形態〕
【０００６】  止め金ピンは、バネピンを使い、大きさは、ズボンの裾上げ部分の幅以内の長さ、縫い目に差し込みする部分は１針縫い目の間に差し込める幅にする重りの部分はゴム素材にする．
【実施例】
【０００７】  以下添付図面に従って一実施例を説明する
１は、刃金素材のバネピン本体の片側先端にゴム素材で重りを取り付けたもの．２は止め金ピンのバネの部分をはずしたもの．ズボン裾の縫い目に差し込む時、このはずした部分を取り付ける．【０００８】  本考案の一実施例は上述の如きものであるから、パンタロン、スラックスをはいて、サンダルで歩く時にそのパンタロン、スラックスの裾をふんでしまうかっこ悪い姿や、歩きにくいという事が解消される．
【図面の簡単な説明】
【０００９】
【図１】本考案のズボン裾踏ずピン実施例を示す正面図である．
【図２】本ズボン裾踏ずピンの側面図である．
【符号の説明】
【００１０】１  止め金ピン本体
２  先端部分の重りゴム
【図１】
0003124963.tif 000003
【図２】
0003124963.tif 000004
【手続補正書】
【提出日】平成18年5月30日(2006.5.30)
【手続補正１】
【補正対象書類名】実用新案登録請求の範囲
【補正対象項目名】全文
【補正方法】変更
【補正の内容】
【実用新案登録請求の範囲】
【請求項１】
取りはずし自由な止め金ピン本体の片側先端部分に重りを取り付け、パンタロンやスラック等のズボンの裾上げ後ろ縫い目部分に差し込み重りとし、取り外し自由という形状を有するズボン裾踏まずピン
(57)【要約】      （修正有）【課題】人体の老化した毛根細胞に磁気ピラミットの混合エネルギーを与え毛根細胞刺激して活性化し白髪を黒髪に生え変えさせる。【解決手段】ピラミットに埋め込んだ磁石より発する磁気とピラミットより発するエネルギーが入り交って方錘形の先端より放出する装置。磁石を埋め込んだピラミットを帽子の内面に先端を内側に向け縦横に装着して成ることを特徴とする磁気とピラミットエネルギーの混合発生装置。【選択図】図１
0003124961.tif 000002
【実用新案登録請求の範囲】
【請求項１】
ピラミットに埋め込んだ磁石より発する磁気とピラミットより発するエネルギーが入り交って方錘形の先端より放出する装置
【請求項２】
磁石を埋め込んだピラミットを帽子の内面に先端を内側に向け縦横に装着し磁気とピラミットの混合エネルギーがピラミットの先端より放出されこのエネルギーが毛根細胞を刺激する
【考案の詳細な説明】
【技術の分野】
【０００１】本考案は人体の美容及び健康向上のため又は工業面並びに農業面に利用する事が出来る磁気とピラミットエネルギーに関するものである
【背景技術】
【０００２】樹脂金属石セラミック木材等でピラミットを作りその中に磁石を埋め込み磁石より発する磁気とピラミットが発するエネルギーが入り交って方錐形の先端より放出される
【特許文献】  特開平１０−１３５０３１  非特許文献  特開平９−１９１９５８  ピラミットパロー１９９３．３  二見書房発行  磁石で水が蘇る  １９９９．５  ＡＢＣ出版社発行
【本考案が解決しようとする課題】
【０００３】帽子の内面に磁石を埋め込んだピラミットを縦横に多数張付け方錐形の先端より発する磁気とピラミットの混合エネルギーが毛根細胞を刺激し毛根を蘇らせる
【考案を解決する手段】
【０００４】布樹脂その他帽子を形成出来る材料で帽子を作りその内面にピラミットの先端を内部に向け装着し磁気ピラミットエネルギーが頭皮を通じ毛根に到らしめる
【考案の効果】
【０００５】磁気とピラミットの混合エネルギーの刺激を受け毛根細胞は活力を取り戻し白髪が黒髪に生え変わる
【考案を実施する最良の形態】
【０００６】図面１のピラミットを図面４の帽子の内部に装着する
【実施例】
【０００７】磁石入りピラミットを内部に装着した帽子を被る
【図面の簡単な説明】
【０００８】
【図１】は本考案のピラミットの全体図
【図２】ピラミットを帽子に装着した全体図
【符号の説明】
１  ピラミット
２  磁石
３  方錐形の先端
４  帽子
５  帽子の一部切截図
【図１】
0003124961.tif 000003
【図２】
0003124961.tif 000004
【手続補正書】
【提出日】平成18年5月23日(2006.5.23)
【手続補正１】
【補正対象書類名】実用新案登録請求の範囲
【補正対象項目名】全文
【補正方法】変更
【補正の内容】
【実用新案登録請求の範囲】
【請求項１】
ピラミットに埋め込んだ磁石より発する磁気とピラミットより発するエネルギーが入り交って方錘形の先端より放出する装置。
【請求項２】
磁石を埋め込んだピラミットを帽子の内面に先端を内側に向け縦横に装着して成ることを特徴とする磁気とピラミットエネルギーの混合発生装置。
(57)【要約】【課題】  屋根への積雪は、その重さにより建物の倒壊の原因となる。これを防ぐために屋根の雪降ろしは欠かせないが、その作業は重労働を伴うと共に転落などによる死傷者の発生を引き起こしている。このため、屋根への積雪を防止する装置が望まれている。【解決手段】  電動巻き取り機、滑車、ワイヤーロープを組み合わせ、ブラシを取り付けたビームをガイドレールに沿って連続的に往復移動させて、屋根面に降雪した雪を掃き落として積雪を防止する装置により、この課題を解決する。【選択図】図１
0003124964.tif 000002
【実用新案登録請求の範囲】
【請求項１】
屋根の頂部に頂部滑車、屋根の左右の下部に下部滑車をそれぞれ取り付け、その滑車間にワイヤーロープを通して、電動巻取り機によってそのワイヤーロープを巻き取り、ワイヤーロープが所定の距離を移動すると、位置スイッチが作動して電動巻き取り機の回転方向を反転させる。ワイヤーロープには、屋根の左右にそれぞれビームを固着し、このビームには屋根面と接触する部分にブラシが取り付けられている。ビームを安定して移動させるために、屋根の左右両端にガイドレールを取り付け、それに沿ってビームに取り付けられたガイドローラーが移動する。こうして、屋根へ降雪した雪を、ビームに取り付けられたブラシが往復移動することによって、掃き落とすことができる積雪防止装置である。
【考案の詳細な説明】
【技術分野】
【０００１】  本考案は、屋根の積雪防止装置の使用に関する。
【背景技術】
【０００２】  従来、降雪地域の屋根への積雪は、その重みによって家屋が倒壊する恐れがあり、人力による雪降ろし作業が必要となる。特に豪雪時の雪降ろし作業は重労働を伴い、転落などで多くの死傷者を出している。
積雪の被害防止は、新築家屋においては積雪に耐えられる構造にするとか、屋根の傾斜を鋭角にするなどの対策が可能であるが、多くの既設家屋は強度が満足ではなく、屋根の傾斜も緩やかで積雪が起きやすい構造となっている。
また、温水利用などの積雪防止装置も考えられているが、実効性に乏しく普及が進んでいない。
【考案の開示】
【考案が解決しようとする課題】
【０００３】  屋根の積雪防止は、降雪初期の段階から屋根に雪を滞留させないことが肝要である。また、その装置の設置費用や維持経費の経済的負担が大きくならないことが普及面から求められる。
【課題を解決するための手段】
【０００４】  そこで、屋根に電動の移動式ビームにブラシを取り付け、滑車とワイヤーロープを組み合わせ、ガイドレールに沿って連続的に往復移動させて、降雪した雪を掃き落として積雪を防止する。
【考案の効果】
【０００５】  よって、本考案の積雪防止装置を設置することによって、屋根の積雪を防止することができ、従来人力による重労働で危険をともなう雪降ろし作業を無くすことができる。
【考案を実施するための最良の形態】
【０００６】  本考案に係わる屋根の積雪防止装置は、図１に示すように、２個の頂部滑車１と２個の巻き取り機側下部滑車２−１と１個の反巻き取り機側下部滑車２−２、電動巻き取り機３との間をワイヤーロープ４によって連係し、ワイヤーロープに適度な摩擦を保持するためのテンション荷重５を設ける。ワイヤーロープにはビーム６が固着されていて、このビームには全幅部分にわたってブラシ７が取り付けられている。このブラシは屋根の表面の凹凸（瓦ぶき、トタンぶき等）に柔軟に対応する長さと弾力性を有している。そして、ビームの両端にはガイドローラー８が取り付けられていて、ガイドレール９に沿って移動する。
ビームは屋根の左右傾斜の上下位置にそれぞれ配置され、電動巻き取り機の荷重を軽減している。すなわち、片方のビームが上がる時は反対側のビームは重力で下り、荷重のバランスを保つことができる。
ワイヤーロープには、ビームの移動位置に適合した２個の位置センサーを取り付け、位置スイッチ１０を作動させる。すなわち、片側の位置スイッチが作動した時は電動巻き取り機がワイヤーロープを引っ張る回転方向に、もう片側の位置スイッチが作動した時はその反対方向に回転を変換する。この動作を巻き取り機制御盤１１によって連続的に繰り返し制御する。このようにしてビームに取り付けられたブラシが屋根を連続的に上下移動して、積雪した雪を掃き落とす屋根の積雪防止装置である。
【図面の簡単な説明】
【０００７】
【図１】  本考案に係わる積雪防止装置を、設置した状態の側面図である。
【図２】  本考案に係わる積雪防止装置を、設置した状態の正面図である。
【符号の説明】
【０００８】  １        頂部滑車
２−１    巻き取り機側下部滑車
２−２    反巻き取り機側下部滑車
３        電動巻き取り機
４        ワイヤーロープ
５        テンション荷重
６        ビーム
７        ブラシ
８        ガイドローラー
９        ガイドレール
１０        位置スイッチ
１１        巻き取り機制御盤
【図１】
0003124964.tif 000003
【図２】
0003124964.tif 000004
【手続補正書】
【提出日】平成18年6月6日(2006.6.6)
【手続補正１】
【補正対象書類名】実用新案登録請求の範囲
【補正対象項目名】全文
【補正方法】変更
【補正の内容】
【実用新案登録請求の範囲】
【請求項１】
屋根頂部の形状に合致した支持台構造を有する頂部滑車、軒先の形状に合致した支持台構造を有する巻き取り機側及び反巻き取り機側の下部滑車、テンション荷重を保持する構造を有する電動巻き取り機、この間を一連で展張するワイヤーロープ、先端にブラシと両端にガイドローラーを有する構造のビーム、溝形状を有するビーム用のガイドレール、ワイヤーロープにセンサーを有する位置スイッチ、これらを電気的に制御する巻き取り機制御盤、を備えた屋根の積雪防止装置である。
(57)【要約】【課題】降雪地域の冬場において、吹雪等で車両のテールレンズ及びウインカーレンズに付着した雪や氷の為に、ストップ灯やウインカー灯が後続車両から確認されづらく、冬場の追突事故につながっているが、車両のテールレンズ及びウインカーレンズに熱線を配することにより、テールレンズ及びウインカーレンズに付着した雪や氷が走行中に融け、後続車両から前方車両のストップ灯やウインカー灯が確認されやすくなり、追突事故が減る。夏場は使用しない為、熱線入切スイッチを取り付ける。【解決手段】車両のテールレンズ１及びウインカーレンズ２に付着した雪や氷に熱線３を入れ融かすことにより、この課題を解決できる。【選択図】図２
0003124966.tif 000002
【実用新案登録請求の範囲】
【請求項１】
車両のテールレンズ及びウインカーレンズに熱線を配し、車両のテールレンズ及びウインカーレンズに付着した雪や氷を走行中に融かし簡単にはがれ落ちるようにし、未使用時はスイッチにより入切ができるようにした部品である。又、全車両に適応し、配線等により後付も可能としたものである。
【考案の詳細な説明】
【技術分野】
【０００１】車両のテールレンズ及びウインカーレンズに熱線を配し、降雪地域等においての地吹雪等でテールレンズ及びウインカーレンズに付着した雪や氷を融かし、後続車両に確認されやすくし、冬場の事故を防ぐ目的で考案したものである。
【背景技術】
【０００２】従来は、降雪地域において地吹雪や自車両が巻き上げた雪煙等が、テールレンズ及びウインカーレンズに付着凍結し、後続車両からの誤認による追突事故を防ぐ為にドライバーが車から降りて除雪ブラシ等で取り除いていたが、降雪地域の猛吹雪ではドライバーが頻繁に自車両を停止させテールレンズ及びウインカーレンズの雪を取り除くことは、現状としてあまり見受けられない。
【考案の開示】
【考案が解決しようとする課題】
【０００３】降雪地域の猛吹雪や地吹雪や自車両が巻き上げる雪煙がテールレンズ及びウインカーレンズに付着凍結し、ストップ灯やウインカー灯が後続車両から誤認されやすく追突事故につながっている。
【課題を解決する為の手段】
【０００４】本考案は車両のテールレンズ及びウインカーレンズに熱線を配することによって、走行中に凍結した雪や氷が融け簡単にはがれ落ち、後続車両から確認されやすくなり冬場の追突事故を防ぐ為に有効であり、この課題を解消できるものである。
【考案の効果】
【０００５】本考案により、車両テールレンズ及びウインカーレンズに熱線を配することにより、車両テールレンズ及びウインカーレンズに付着した雪や氷が走行中に融け、簡単にはがれ落ちるので、吹雪の中でも後続車両から前方車両を確認しやすくなり、降雪地域での冬場の追突事故を防ぐことにつながる。又、長距離トラック等のドライバーも除氷の手間が省け運搬にかかる時間のロスを軽減できる為、制限速度が遵守され気持ちにゆとりがうまれる。
【図面の簡単な説明】
【０００６】
【図１】トラック等後方部
【図２】図１の拡大図。４は６Ｖ〜２４Ｖとし、５により熱線が入切できるものとする。
【図３】乗用車等後方部
【図４】図３の拡大図。４は６Ｖ〜１２Ｖとし、５により熱線が入切できるものとする。
【符号の説明】
【０００７】１  テールレンズ
２  ウインカーレンズ
３  熱線
４  リレー
５  スイッチ
【図１】
0003124966.tif 000003
【図２】
0003124966.tif 000004
【図３】
0003124966.tif 000005
【図４】
0003124966.tif 000006
【手続補正書】
【提出日】平成18年6月1日(2006.6.1)
【手続補正１】
【補正対象書類名】実用新案登録請求の範囲
【補正対象項目名】全文
【補正方法】変更
【補正の内容】
【実用新案登録請求の範囲】
【請求項１】
（イ）ウインカーレンズを有する車両のテールレンズに熱線を配す。
（ロ）夏場は使用しない為、スイッチにより入切ができる。
以上（イ）、（ロ）の構造からなる車両熱線入りのウインカーレンズを有するテールレンズ。
(57)【要約】      （修正有）【課題】種類の異なる書類等を、効率的で、利便性に優れた、整理方法・判別方法・収納方法・取り出し方法を最適し、１つの書類等収納ケ−スにおいて、書類等を交差収納する事が出来る収納ケ−スを提供する。【解決手段】収納ケ−ス本体を正方形状とし、書類等を重ねて収納する場合、２方向による、直角交差収納する事により、種類の異なる書類等の、選別・整理・取り出しが、効率よく実施できる。また、書類等の収納量も増やす事が可能で、余剰空間は、小物等を入れるケ−スの設置場所として、最適なものとなり、書類等の、ずれや散らかりを防止する。【選択図】図１
0003124970.tif 000002
【実用新案登録請求の範囲】
【請求項１】
正方形を基本形状としたもので、長方形の書類等を、平面状に、重ねて、２方向より直角交差収納できる、書類等収納ケ−ス。
【請求項２】
前項の書類等収納ケ−スで、書類等収納部以外に出来た余剰空間に、小物入れケ−ス等を設置し、書類等のずれや散らかりを防止出来る、書類等収納ケ−ス。
【請求項３】
書類等に類似した物品も、請求項１の方法により、収納される場合は、これに含まれるものとする。
【考案の詳細な説明】
【技術分野】
【０００１】本考案は、１つの書類等収納ケ−スにおいて、書類等を交差収納する事が出来る、機能・形状・構造に関するもの。
【背景技術】
【０００２】従来の収納ケ−スは、長方形状のものが多く、書類等を重ねて平面収納する場合は、１方向よりの収納であるため、整理・取り出しが非効率で、しかも、種類の異なる書類等の判別が容易でなく、わずらわしいところが有りました。
また、多種の書類等を収納するには、多くの容積が必要でした。
【考案の開示】
【考案が解決しようとする課題】
【０００３】そこで、本考案の目的は、種類の異なる書類等を、効率的で、利便性に優れた、整理方法・判別方法・収納方法・取り出し方法を、最適にするものです。
【課題を解決するための手段】
【０００４】請求項１・２・３に記載された内容です。
【考案の効果】
【０００５】本考案では、従来のものより、次の効果が優れています。
第１に、多種類の書類等の平面収納において、それぞれの書類等の、判別を容易にし、整理収納が出来る。
第２に、多種類の書類等の平面収納において、それぞれの書類等を、容易に、しかも、効率的に取り出しが出来る。
第３に、余剰空間に小物入れケ−スを設置する事により、ケ−ス本体に無駄が無く、利便性・機能性が良くなった。
【考案を実施するための最良の形態】
【０００６】本考案は、請求項１・２の構成ですので、要約の解決手段に記載されている内容により、書類等の選別・効率的収納がなされるため、あらゆる場面において、そこに携わる人々の、文書類・ファイル類・帳票類・カタログ類・その他平板物品類等を、収納・整理・取り出しにあたり、快適性を提供します。
【図面の簡単な説明】
【０００７】
【図１】本考案の斜視図
【図２】本考案の明細図
【符号の説明】
【０００８】ａ  書類等収納ケ−ス本体    ｂ  小物入れケ−ス
１  書類等（横方向）    ２  書類等（縦方向）    ３  余剰空間（スペ−ス）
１ａ  書類束（横方向）    ２ａ  書類束（縦方向）
【図１】
0003124970.tif 000003
【図２】
0003124970.tif 000004
【手続補正書】
【提出日】平成18年5月29日(2006.5.29)
【手続補正１】
【補正対象書類名】実用新案登録請求の範囲
【補正対象項目名】全文
【補正方法】変更
【補正の内容】
【実用新案登録請求の範囲】
【請求項１】
正方体を基本形状としたもので、あらゆる大きさの、長方形の書類を、平面状に、重ねて、２方向より直角交差収納ができる、正方体の構造で構成された、書類収納ケース。
【請求項２】
請求項１の書類収納ケースで、書類収納部以外にできた余剰空間に、小物入れケースを設置し、書類のずれや、散らかりを防止できる、書類収納ケース。
(57)【要約】      （修正有）【課題】醤油を、注ぐ時に、フタから醤油が、凍みださないようにし、手が汚れない醤油刺しを提供する。【解決手段】フタの場所を、少し曲げて、注ぎ口を、フタの下に付けると、中身がフタの所まで行かないので漏れない。【選択図】図１
0003124959.tif 000002
【実用新案登録請求の範囲】
【請求項１】
今ある，醤油刺しの，不便な所は，フタの所から，中身が，注ぐ度に凍みてくるので，フタの位置を少し上右側に，曲げて，注ぎ口を，フタ寄り下に付ける事で，中身がフタから漏れなくなる．
【考案の詳細な説明】
【技術分野】
【００１】本考案の，醤油刺しは，フタの所に刺し口が有る今の物は中身が凍みて来るため，フタの下に，注ぎ口を，付ける事で，中身が凍みて来る事が，無くなる用にしました．
【背景技術】
【００２】今までに，売場では見かけなかつた，
【考案の開示】
【考案が解決しようとする課題】
【００３】今ある醤油刺しは，ほとんどの物が，フタに注ぎ口が付いている物しかなく，フタから，醤油が凍みてくる
【課題を解決するための手段】［．．．］
醤油刺しの，フタの所を少し右側に曲げて注ぎ口を，フタの所寄り下に，付けるようにする
【考案の効果】［．．．］
注ぐ時に，中身が，フタの所まで行かない，のでフタから，漏れる事がない．
【図面の簡単な説明】［．．．］【図１】フタを少し右に曲げた所，
【図２】注ぐ所で，フタの所まで，中身が行かない．
【符号の説明】
［．．．］
１      ケースの本体
２      ケースをカットした断面図
【図１】
0003124959.tif 000003
【図２】
0003124959.tif 000004
【手続補正書】
【提出日】平成18年5月30日(2006.5.30)
【手続補正１】
【補正対象書類名】実用新案登録請求の範囲
【補正対象項目名】全文
【補正方法】変更
【補正の内容】
【実用新案登録請求の範囲】
【請求項１】
．今ある醤油刺しの，不便な所は，フタの所から，
．中身を，注ぐ度にしみてくる所で，フタの位置を
．少し上右側に，曲げて，注ぎ口を，フタより下に
．付けることで，中身がフタから漏れなくなる，
．手が汚れない，  醤油刺し。